(57)【要約】【課題】  濾過性に優れ、生物種別などにこまめに対応できる高度の清浄水を容易に得られる水槽用外掛け式濾過装置における濾過材収容ユニットを提供する。【解決手段】  ユニット基板７１とカバー７２との間で構成される濾過材収容室７６を上下方向で複数に分室する一つもしくは複数の多孔仕切り板７５Ａ，７５Ｂを該濾過材収容室７６内に着脱可能に配置し、最下段の濾過材収容分室７６Ａ内に対応するカバー７２の周壁７２ａおよび底壁７２ｂのうちの少なくとも一方に、前記浄水化槽部１３に供給された水Ｗを取り込む多数の流入小孔７７を形成し、前記ユニット基板７１における前記最上段の濾過分室７６Ｃに対応する領域に、最上段の該濾過室７６Ｃを通過した水Ｗを流出させる多数の流出小孔７８を形成する。【選択図】        図１２
2006180833.tif 000002
【特許請求の範囲】
【請求項１】
浄水化槽部を横断して配設されたフィルタの上流側に位置して、該浄水化槽部を横断し、かつ挿脱可能に設置されたユニット基板と、このユニット基板における上流側面に着脱可能に緊密に装着されるカバーとにより濾過材収容室を構成してある水槽用外掛け式濾過装置における濾過材収容ユニットにおいて、
前記濾過材収容室内に、該濾過材収容室内を上下方向で複数に分室する一つもしくは複数の多孔仕切り板を着脱可能に配置し、
最下段の濾過材収容分室内に対応するカバーの周壁及び底壁のうちの少なくとも一方から水槽内から汲み上げられた水を取り込むものとし、
前記ユニット基板における前記最上段の濾過分室に対応する領域に、最上段の該濾過室を通過した水を流出させる多数の流出用孔を形成したことを特徴とする水槽用外掛け式濾過装置における濾過材収容ユニット。
【請求項２】
前記カバーの周壁及び底壁に、前記浄水化槽部に供給された水を取り込む多数の流入小孔を形成してある請求項１に記載の水槽用外掛け式濾過装置における濾過材収容ユニット。
【請求項３】
前記カバーの側壁に、水槽内から汲み上げられた水を取り込む流入管を形成してあり、該流入管の開口がポンプ部に繋がる給水管の開口に臨むものと設定されている請求項１に記載の水槽用外掛け式濾過装置における濾過材収容ユニット。
【請求項４】
前記カバーの側壁高さ方向中間部に、前記流入管を形成すると共に、前記カバー内に、前記流入管から流入する水を濾過材収容室の最下部に誘導する誘導路を有する請求項３に記載の水槽用外掛け式濾過装置における濾過材収容ユニット。
【請求項５】
前記請求項１ないし請求項４のいずれかに記載の濾過材収容ユニットを具備してなる水槽用外掛け式濾過装置。
【発明の詳細な説明】
【技術分野】
【０００１】
この発明は、鑑賞用や飼育用水槽の側壁に外掛けされて水槽内の水（淡水及び海水）を濾過しながら循環させる水槽用外掛け式濾過装置における濾過材収容ユニットに関する。
【背景技術】
【０００２】
この種の濾過装置では、水槽内から吸い上げた水を清浄化するためのフィルタや濾過材を収容される浄水化槽部が装置本体に形成されており、この浄水化槽部には、活性炭保持用フィルタユニットが配設されているが、最近では、各種の濾過材が開発されるに伴って、上記フィルタユニットとは別に濾過材収容ユニットを前記浄水化槽部を横断する配置するものが多くなってきている。
【０００３】
この濾過材収容ユニットとして、従来、ユニット基板とカバーとで構成したものが案出されている（例えば、特許文献１参照）。
【０００４】
つまり、その濾過材収容ユニットは、図１５に示すように、上部に多数の流出小孔１０１が形成されたユニット基板１０２の上流側面に、１つの流入管１０３が側部に設けられているカバー１０４を着脱可能に装着し、このカバー１０４と前記ユニット基板１０２とで形成される濾過材収容室１０５に多孔質のセルロース誘導体からなる多数個の粒状濾過材Ｍを収容したものであり、水槽から汲み上げた水Ｗを前記１つの流入管１０３から濾過材収容室１０５内に取り込んで粒状濾過材Ｍにより濾過し、浄化された水Ｗを前記流出小孔１０１から流出させるようになっている。
【特許文献１】実用新案登録第３０７４５８２号公報（第１０頁、図９）
【発明の開示】
【発明が解決しようとする課題】
【０００５】
しかし、上記した従来のものは、ユニット基板１０２とカバー１０４とで一つだけの濾過材収容室１０５が形成されているから、選択した１種類の濾過材のみで濾過させなければならず、生物の種別や微妙な飼育環境にこまめに適合できる高度の清浄水Ｗが得られにくい。
【０００６】
しかも、前記浄水化槽に供給された水Ｗを、前記カバー１０４に設けられた１つの流入管１０３から濾過材収容室１０５内に流入させるので、水Ｗが濾過材収容室１０５の全域に巡りにくく、一部の濾過材と接触しただけで流出小孔１０１から流出してしまい、濾過性に劣るという問題もある。
【０００７】
この発明は、上記実情に鑑みてなされたものであり、濾過性に優れ、生物種別や飼育環境にこまめに対応できる高度の清浄水を容易に得ることが可能な水槽用外掛け式濾過装置における濾過材収容ユニットを提供することを課題とする。
【課題を解決するための手段】
【０００８】
上記課題を解決するために、請求項１の発明は、浄水化槽部を横断して配設されたフィルタの上流側に位置して、該浄水化槽部を横断し、かつ挿脱可能に設置されたユニット基板と、このユニット基板における上流側面に着脱可能に緊密に装着されるカバーとにより濾過材収容室を構成してある水槽用外掛け式濾過装置における濾過材収容ユニットにおいて、前記濾過材収容室内に、該濾過材収容室を上下方向で複数に分室する一つもしくは複数の多孔仕切り板を着脱可能に配置し、最下段の濾過材収容分室内に対応するカバーの周壁および底壁のうちの少なくとも一方から、水槽内から汲み上げられた水を取り込むものとし、前記ユニット基板における前記最上段の濾過分室に対応する領域に、最上段の該濾過室を通過した水を流出させる多数の流出用孔を形成したことを特徴とする水槽用外掛け式濾過装置における濾過材収容ユニットに係わるものである。
【０００９】
請求項２の発明は、前記カバーの周壁及び底壁に、前記浄水化槽部に供給された水を取り込む多数の流入小孔を形成してある水槽用外掛け式濾過装置における濾過材収容ユニットに係わるものである。
【００１０】
請求項３の発明は、前記カバーの側壁に、水槽内の水を取り込む流入管を形成してあり、該流入管の開口がポンプ部に繋がる給水管の開口に臨むものと設定されている水槽用外掛け式濾過装置における濾過材収容ユニットに係わるものである。
【００１１】
請求項４の発明は、前記カバーの側壁高さ方向中間部に、前記流入管を形成すると共に、前記カバー内に、前記流入管から流入する水を濾過材収容室の最下部に誘導する誘導路を有する水槽用外掛け式濾過装置における濾過材収容ユニットに係わるものである。
【００１２】
請求項５の発明は、前記請求項１ないし請求項４のいずれかに記載の濾過材収容ユニットを具備してなる水槽用外掛け式濾過装置に係わるものである。
【発明の効果】
【００１３】
請求項１の発明の水槽用外掛け式濾過装置における濾過材収容ユニットによれば、ユニット基板とカバーとで形成される濾過材収容室を一つもしくは複数の多孔仕切り板により上下方向で複数に分けるようにしたから、複数の濾過材収容室に、例えば異なる種類の濾過材をそれぞれ収容することにより浄水化槽部に供給された水を流れ方向で前記異種の濾過材に順序的に接触させて濾過させることができ、これにより、生物種別などの適した高度の清浄水を得ることが可能となる。
【００１４】
また、最下段の濾過材収容分室内に対応するカバーの周壁及び底壁のうちの少なくとも一方から水槽内から汲み上げられた水を取り込むものとし、前記ユニット基板における前記最上段の濾過分室に対応する領域に、最上段の該濾過室を通過した水を流出させる多数の流出用孔を形成したことにより、流入した水がこの濾過分室内の略全域に行き渡りながら濾過材と接触するので、濾過効率が高められる。さらに、多孔仕切り板を取り外ずせるので、前記濾過材収容室の数も容易に変更できる。
【００１５】
請求項２の発明の水槽用外掛け式濾過装置における濾過材収容ユニットによれば、前記カバーの周壁及び底壁に、前記浄水化槽部に供給された水を取り込む多数の流入小孔を形成してあるので、構造的に簡素で製作が容易である。
【００１６】
請求項３の発明の水槽用外掛け式濾過装置における濾過材収容ユニットによれば、前記カバーの側壁に、水槽内の水を取り込む流入管を形成してあり、該流入管の開口がポンプ部に繋がる給水管の開口に臨むものと設定されているので、給水管から供給される水槽内の水を確実に濾過材収容ユニットに取り込むことができる。しかも、流入管と給水管とを繋げる手間が省けるので、濾過装置全体の組み立てが簡単に行える。
【００１７】
請求項４の発明の水槽用外掛け式濾過装置における濾過材収容ユニットによれば、前記カバーの側壁高さ方向中間部に、前記流入管を形成すると共に、前記カバー内に、前記流入管から流入する水を濾過材収容室の最下部に誘導する誘導路を有するので、流入管から流入する水が必ず濾過材の最下部を通過して濾過材の上部に至り、濾過材を有効に活用することができる。
【００１８】
請求項５の発明の水槽用外掛け式濾過装置によれば、前記請求項１ないし請求項４のいずれかに記載の濾過材収容ユニットを具備しているので、各請求項の発明と同様の効果が得られる。
【発明を実施するための最良の形態】
【００１９】
以下、この発明の実施形態を図面に基づいて説明する。
【００２０】
図１は、この発明の第１実施形態の濾過材収容ユニットが適用された水槽用外掛け式濾過装置を示す全体斜視図、図２は、同じく水槽用外掛け式濾過装置を蓋体を外して示す平面図である。
【００２１】
図１および図２において、この水槽用外掛け式濾過装置Ａは、装置本体１、蓋体２、ポンプ部４、吸水配管部５、フィルタユニット６、および濾過材収容ユニット７などを備えている。
【００２２】
前記装置本体１は、合成樹脂などから槽状に形成されており、その前端には、図３に示すように、水槽Ｎの側壁Ｎａ上端に掛け止めするために、湾曲して下方へ垂れる掛け部１１が一体形成されており、また、右部には、吸水配管配設部１２が形成される一方、左側後部には、図１０に示すように、水槽Ｎから吸い上げた水Ｗを清浄化するための浄水化槽部１３が形成されている。また、前記掛け部１１の左部上面１１ａは、浄化後の清浄水Ｗを前記水槽Ｎ内に放出するための流下壁面となっている。
【００２３】
なお、装置本体１の下面には、図３に示すように、水槽Ｎに掛け止めした状態での傾き姿勢を是正するために、回動操作で前方への突出量が変化する偏心した水平調整つまみ１１０が設けられている。また、前記流下壁面１１ａの先端下部には、清浄水Ｗを左右に振り分けて水槽Ｎ内に広範囲に放散させる振り分け部１４が設けられている。
【００２４】
前記吸水配管配設部１２の後部は、深い有底孔部１５が形成されており、その底壁下部が前記ポンプ部４となっている。
【００２５】
このポンプ部４は、図４に示すように、モータ４１と、このモータ４１で駆動されて、吸水メインパイプ５１内に吸引力を作用させるインペラーユニット４２とを有している。
【００２６】
前記蓋体２は、装置本体１の開口を着脱可能に覆うものである。
【００２７】
前記吸水配管部５は、前記吸水配管配設部１２に配置された逆Ｌ字形の吸水メインパイプ５１を備えている。この吸水メインパイプ５１の外端部には、水槽Ｎの水Ｗに浸漬されるストレナーパイプ５９の上端部が接続されている。なお、ストレナーパイプ５９の下端部には、円筒形のストレナースポンジ（図示せず）が装着されるようになっている。
【００２８】
また、前記吸水メインパイプ５１の内端部には、吸水流量調整部５２が装備されており、その下流側には、垂直パイプ５３が接続されている。
【００２９】
この垂直パイプ５３の下端部には、前記インペラー４２などを取り囲むモータ接続パイプ５４が接続され、その周壁には、吸水した水Ｗを浄水化槽部１３に供給させるための給水管５５が接続されている。
【００３０】
前記吸水流量調整部５２は、例えば図６および図７に示すように、前記吸水メインパイプ５１の内端側開口に回動可能に内嵌して装着された筒部５２１と、この筒部５２１の先端に連結されて径方向外方へ突出する流量調整つまみ５２２とからなる。
【００３１】
前記筒部５２１の周壁には、吸水メインパイプ５１と垂直パイプ５３との接続部の開口面積を可変させる切り欠き５２３が形成されており、前記流量調整つまみ５２２の回動操作による筒部５２１の回動量に応じて吸水メインパイプ５１から垂直パイプ５３への流量が調整されるようになっている。
【００３２】
前記給水管５５には、吸気筒部５６が設けられており、この吸気筒部５６には、図５に示すように、ゴム管などの可撓性材からなる空気導入管５７の下端が接続されている。なお、前記給水管５５における吸気筒部５６よりも上流側内面部位５５ａのリブ及び給水管内部形状は、図５に示すように、吸気のために負圧を生起させる構造が採用されている。なお、吸い込まれた空気は、水Ｗと共に前記浄水化槽１３内に供給される。
【００３３】
前記空気導入管５６の上端開口には、空気流量調整部材５８が接続されている。
【００３４】
この空気流量調整部材５８は、図８および図９に示すように、前記空気導入管５６に接続された筒形のつまみ受け体５８１と、このつまみ受け体５８１の上部に回動可能に内嵌された空気流量調整つまみ５８２とからなる。
【００３５】
前記つまみ受け体５８１の周壁には、縦溝５８１ａが形成される一方、空気流量調整つまみ５８２の周壁には、開口５８２ａが形成されている。この空気流量調整つまみ５８２を回動操作した際の前記縦溝５８１ａと開口５８２ａとの重なり量により、空気の吸い込み量が調整されるようになっている。
【００３６】
前記浄化槽部１３には、前記フィルタユニット６と、このフィルタユニット６の上流側に配設された前記濾過材収容ユニット７とが収容されている。
【００３７】
フィルタユニット６は、図１２に示すように、前記浄水化槽部１３の左右の差し込み溝１３１，１３１間に差し込まれた合成樹脂製の長方形の多孔基板６１と、この多孔基板６１の上流側および下流側面にそれぞれ装着されたフィルタ部材６２，６３とからなる。
【００３８】
各フィルタ部材６２，６３内には、活性炭Ｑが保持されている。
【００３９】
前記濾過材収容ユニット７は、図１１および図１２に示すように、前記浄水化漕１３における左右の差し込み溝１３２，１３２に差し込まれたユニット基板７１と、カバー７２とからなり、ユニット基板７１とカバー７２との間で形成される濾過材収容室７６に濾過材ＭＡ，ＭＢ，ＭＣが収容されるようになっている。
【００４０】
前記ユニット基板７１は、合成樹脂などにより正面形状が略長方形に形成されており、その上流側面７１ａには、前記カバー７２を着脱可能に装着させるために、上部および下部左右に位置して３つの係合孔７１１・・・がそれぞれ形成されている。
【００４１】
また、前記上流側面７１ａには、装着状態でのカバー７２の開口周囲を緊密に取り囲む環状のリブ７１２が形成されている。なお、上部には、交換時に、引上げるための把手部７１３が形成されている。
【００４２】
前記カバー７２は、合成樹脂などにより４角形の容器状に成形されており、その開口端部には、前記係合孔７１１・・・にそれぞれ係脱可能に係合される３つの係止爪片７２１が一体形成されている。
【００４３】
また、このカバー７２の側壁７２ａの内面には、左右に位置して、複数段、例えば２段の水平桟部７３Ａ，７３Ｂが設けられており、これら２段の左右の水平桟部７３Ａ，７３Ｂには、それぞれ全域に小孔７４が形成された２つの多孔仕切り板７５Ａ，７５Ｂがそれぞれ取り外し可能に挿入・支持されている。
【００４４】
これら２つの多孔仕切り板７５Ａ，７５Ｂにより、前記カバー７２内、つまり濾過材収容室７６は、上下方向で３段の濾過材収容分室７６Ａ，７６Ｂ，７６Ｃとなっており、これら濾過材収容分室７６Ａ，７６Ｂ，７６Ｃには、生物の飼育などの適した清浄水Ｗを得るために、例えば種類の異なる濾過材ＭＡ，ＭＢ，ＭＣが収容されている。
【００４５】
また、前記最下段の濾過材収容分室７６Ａに対応して前記カバー７２の側壁７２ａおよび底壁７２ｂには、前記吸水管５５から流入した水Ｗに対する多数の流入小孔７７が全域に形成されている。なお、この流入小孔７７は、側壁７２ａおよび底壁７２ｂのいずれか一方に設けてあればよい。
【００４６】
前記最上段の濾過材収容分室７６Ｃに対応して、前記ユニット基板７１の上部には、該濾過材収容室７０を通過した水Ｗを流出させる多数の流出小孔７８が形成されている。また、前記ユニット基板７１の前記カバ−７２の対応する領域外にも同様の流出小孔７８が形成されている。
【００４７】
つぎに、上記構成の濾過装置の使用手順を説明する。
【００４８】
まず、前記浄水化槽１３内に前記フィルタユニット６および濾過材収容ユニット７を配置しておく。一方、前記吸水配管配設部１２に逆Ｌ字形の吸水メインパイプ５１などを配備する。
【００４９】
なお、ここでは、濾過材収容ユニット７における最下段（最上流側）の濾過材収容分室７６Ａに、例えばリング状のセラミックからなる濾過材ＭＡ、次段の濾過材収容分室７６Ｂにスポンジからなる濾過材ＭＢ、最上段（最下流側）の濾過材収容分室７６Ｃに不織布からなる濾過材ＭＣがそれぞれ収容されている。
【００５０】
そして、前記掛け止め部１１を水槽Ｎの側壁上端に引っかけるようににて濾過装置Ａをセットする。この時、前記水平調整つまみ１１０を廻して濾過装置Ａが水平姿勢に保持されるように調整する。
【００５１】
また、前記ストレーナーパイプ５２の下端部が水槽Ｎの水位よりも十分下方に位置するように長さを調整する。なお、このストレーナーパイプ５２の下端部には、ストレーナースポンジを装着しておく。また、浄水化糟部１３及びモータ４１収容部に呼び水を入れてモータ４１を起動させる。
【００５２】
前記モータ４１を起動させると、図１０に示すように、インペラーユニット４２が回転し、前記吸水メインパイプ５１内に吸引力が作用し、前記水槽Ｎ内の水Ｗの吸水が開始される。すると、水Ｗは、ストレーナパイプ５２で塵埃が除去されながら吸引メインパイプ５１および垂直パイプ５３を経て給水管５５から浄水化槽１３内に供給される。
【００５３】
なお、この時の吸水流量は、前記吸水流量調整部５２における流量調整つまみ５２２を回動操作して行う。また、前記空気流量調整部材５８におけるつまみ５８２を回動操作して空気を導入させれば、給水管５５を通して空気が前記浄水化槽１３内に送給される。
【００５４】
前記浄水化槽１３内に供給された水Ｗの水位が増してくると、この水Ｗは、前記濾過材収容ユニット７におけるカバー７２の側壁７２ａおよび底壁７２ｂの各流入小孔７７から最下段の濾過材収容分室７６Ａに流入する。
【００５５】
この最下段の濾過材収容分室７６Ａには、リング状のセラミックからなる濾過材ＭＡが収容されているので、前記水Ｗは、濾過材収容分室７６Ａ内を回り巡りながら濾過材ＭＡに接触することによる第１段階での濾過作用により浄化される。
【００５６】
なお、前記浄水化槽１３内に供給された水Ｗは、前記カバー７２のおける側壁７２ａおよび底壁７２ｂにおける多数の流入小孔７７から最下段の濾過材収容分室７６Ａ内に流入するので、一箇所から流入するものと違って該濾過材収容分室７６Ａ内の広範囲に行き渡り、全域の濾過材ＭＡと接触して濾過性が高められる。
【００５７】
そして、水位の上昇に伴って、水Ｗは、最下段の濾過材収容分室７６Ａから下部の多孔仕切り板７５Ａの孔７４を通過して中段の濾過材収容分室７６Ｂに入り、ここのスポンジＭＢで接触されることによる第２段階での濾過作用により一層浄化される。
【００５８】
この浄化された水Ｗは、さらに上部の多孔仕切り板７５Ｂの小孔７４を通過して前記最上段の濾過材収容分室７６Ｃに流入する。そして、ここに収容されている不織布ＭＣによる第３段階での濾過作用により浄化される。この後、前記ユニット基板７１の上部の流出小孔７８からフィルタユニット６側に流下する。
【００５９】
このように、濾過材収容ユニット７における濾過材収容室７６を複数段に別けて濾過材収容分室７６Ａ，７６Ｂ，７６Ｃとしたので、複数種の濾過材ＭＡ，ＭＢ，ＭＣを流れ方向で順序的に収容することができ、これにより生物に応じた高度の清浄水Ｗを容易に得ることができる。
【００６０】
また、前記濾過材収容室７６を複数段に分ける多孔仕切り板７５Ａ，７５Ｂが取り外し可能であるので、上記濾過材収容分室の数を低減して、上記とは異なる清浄水を得ることができる。
【００６１】
なお、前記フィルタユニット６に至った水Ｗは、所定の濾過作用を受けて浄化され、清浄水Ｗとなって前記流下壁面１１ａを流下し、振り分け部１４を介して左右へ振り分けられながら水槽Ｎ内に放散される。このような濾過動作により、水Ｗが循環され、水槽Ｎ内の水Ｗの清浄化が進むことになる。
【００６２】
図１３及び図１４は、この発明の濾過材収容ユニットの第２実施形態を示すもので、前記浄水化漕１３における左右の差し込み溝１３２，１３２に差し込まれるユニット基板８１と、カバー８２とからなり、ユニット基板８１とカバー８２との間で形成される濾過材収容室８６に濾過材ＭＡ，ＭＢ，ＭＣが収容されるようになっているという構成は、先の第１実施形態の濾過材収容ユニット７と同様である。
【００６３】
この第２実施形態の濾過材収容ユニット８が、先の第１実施形態の濾過材収容ユニット７と相違する点は、カバー８２の側壁に突設された流入管８３の開口がポンプ部に繋がる給水管の開口に臨んで水槽内の水が濾過材収容ユニット８内に取り込まれるものとなされると共に、取り込まれた水Ｗの全てが最下段の濾過材収容分室８６Ａの下方から順次、中段の濾過材収容分室８６Ｂ、最上段の濾過材収容分室８６Ｃを通過していく点にある。そのために、流入管８３から取り込まれた水を、必ず最下段の濾過材収容分室８６Ａ下方へ導くための隔壁９０がカバー８２内に設けられている。
【００６４】
すなわち、図１３に示すように、該隔壁９０は、流入管８３に臨む開口を有する側壁と対向する垂壁部９０ａと、該垂壁部上部からカバー側壁に連なる天井部９０ｂとから構成されている。前記垂壁部９０ａは、最下段の濾過材収容分室８６Ａの一側壁となると共に、天井部９０ｂから吊り下げられたような態様に形成され、垂壁部９０ａの下端は、カバー底壁から距離を置いた状態に位置するものと設定されている。
【００６５】
該隔壁の下端部に連なるように櫛歯状の最下段濾過材収容分室用仕切板部８５ａが水平状に設けられる一方、その上方には複数段の多孔仕切板８５ｂ、８５ｃが着脱自在に設けられている。各多孔仕切板８５ｂ、８５ｃには多数個の横長スリット８４…が並列状態に配置されている。
【００６６】
なお、図中８２１は、後述するユニット基板８１の係合孔８１１・・・に係脱可能に係合される係止爪片、８３Ａ、８３Ｂは、多孔仕切り板８５ｂ，８５ｃを支持するための水平桟部である。
【００６７】
前記ユニット基板８１は、合成樹脂などにより正面形状が略長方形に形成されており、その上流側面８１ａには、前記カバー８２を着脱可能に装着させるために、上部および下部左右に位置して３つの係合孔８１１・・・がそれぞれ形成されている。
【００６８】
また、前記上流側面８１ａには、装着状態でのカバー８７２の開口周囲を緊密に取り囲む環状のリブ８１２が形成されている。なお、上部には、交換時に、引上げるための把手部８１３が形成されている。
【００６９】
このユニット基板８１下部の前記リブの８１２の外側には、複数個のスリット孔８７…が高さ方向に並べて配置されている。このスリット孔８７は、給水管５５以外のすき間から漏れた水が、浄化水糟部１３からオーバーフローしないように、直接、フィルタユニット６に向かって通り抜けるためのものである。
【００７０】
このユニット基板８１の上部には、該濾過材収容室８６を通過した水Ｗを流出させる多数の流出スリット孔８８が形成されている。また、前記ユニット基板８１の前記カバ−８２の対応する領域外にはオーバーフロー用の流出スリット孔８８が形成されている。
【００７１】
この第２実施形態の濾過材収容ユニット８を用いた濾過装置の使用手順について以下に説明するが、水槽内の水を浄水化層１３内に供給するまでの操作は第１実施形態の濾過材収容ユニット７を用いた濾過装置と同様である。
【００７２】
而して、浄水化糟部１３に呼び水を満たした後、モータ４１を起動させると、吸引された水槽内Ｎの水が、給水管５５からカバー８２の流入管８３に放出されてユニット内部に流入することになる。ユニット内部には隔壁９０が設けられているので、ユニット内部に流入した水Ｗは、下方から最下段の濾過材収容分室８６Ａに流入し、第１段階の濾過が行われる。
【００７３】
さらに、水位の上昇に伴って、水Ｗは、順次上位の濾過材収容分室８６Ｂ、８６Ｃに流入し、第２段階及び第３段階の濾過が行われる。この後、前記ユニット基板８１の上部の流出スリット８８からフィルタユニット６１側に流下する。
【００７４】
この第２実施形態の濾過材収容ユニット８を用いた濾過装置は、第１実施形態の実施形態の濾過材収容ユニット８を用いた濾過装置と同様又はそれ以上の効果を奏する。
【００７５】
すなわち、濾過材収容ユニット８における濾過材収容室８６を複数段に別けて濾過材収容分室８６Ａ，８６Ｂ，８６Ｃとしたので、複数種の濾過材ＭＡ，ＭＢ，ＭＣを流れ方向で順序的に収容することができ、これにより生物に応じた高度の清浄水Ｗを容易に得ることができる。しかも、ユニット内部に流入した水Ｗは、下方から最下段の濾過材収容分室８６Ａに流入するので、最下段の濾過材収容分室８６Ａ内の濾過材ＭＡ全域の濾過材ＭＡと接触して濾過性が高められる。
【００７６】
また、前記濾過材収容室８６を複数段に分ける多孔仕切り板８５Ａ，８５Ｂが取り外し可能であるので、上記濾過材収容分室の数を低減して、上記とは異なる清浄水を得ることができる。
【００７７】
なお、前記フィルタユニット６１に至った水Ｗは、所定の濾過作用を受けて浄化され、清浄水Ｗとなって前記流下壁面１１ａを流下し、振り分け部１４を介して左右へ振り分けられながら水槽Ｎ内に放散される。このような濾過動作により、水Ｗが循環され、水槽Ｎ内の水Ｗの清浄化が進むことになる。
【図面の簡単な説明】
【００７８】
【図１】この発明の第１実施形態にかかる濾過材収容ユニットが適用された水槽用外掛け式濾過装置を示す全体斜視図である。
【図２】同じく水槽用外掛け式濾過装置をカバーを外して示す平面図である。
【図３】同じく水槽用外掛け式濾過装置を水槽の側壁に掛け止めした状態を示す側面図である。
【図４】ポンプ部の一部破断側面図である。
【図５】供給管におけるエアレーション構造の説明図である。
【図６】流量調整部の縦断面図である。
【図７】図６のＹ−Ｙ線に沿った断面図である。
【図８】空気量調整部を示す縦断面図である。
【図９】図８のＺ−Ｚ線に沿った断面図である。
【図１０】濾過経路全体の説明図である。
【図１１】濾過材収容ユニットの分解斜視図である。
【図１２】図２のＸ−Ｘ線に沿った断面図である。
【図１３】この発明の第２実施形態にかかる濾過材収容ユニットの分解斜視図である。
【図１４】同濾過材収容ユニットの要部断面図である。
【図１５】従来の濾過材収容ユニットを示す断面図である。
【符号の説明】
【００７９】
６・・・・・・・・・・フィルタユニット
７・・・・・・・・・・濾過材収容ユニット
１３・・・・・・・・・浄水化槽部
７１・・・・・・・・・ユニット基板
７１ａ・・・・・・・・ユニット基板の上流側面
７２・・・・・・・・・カバー
７２ａ・・・・・・・・カバーの側壁
７２ｂ・・・・・・・・カバーの底壁
７５Ａ，７５Ｂ・・・・多孔仕切り板
７６・・・・・・・・・濾過材収容室
７６Ａ，７６Ｂ・・・・濾過材収容分室
７７・・・・・・・・・流入小孔
７８・・・・・・・・・流出小孔
ＭＡ，ＭＢ，ＭＣ・・・濾過材
【図１】
2006180833.tif 000003
【図２】
2006180833.tif 000004
【図３】
2006180833.tif 000005
【図４】
2006180833.tif 000006
【図５】
2006180833.tif 000007
【図６】
2006180833.tif 000008
【図７】
2006180833.tif 000009
【図８】
2006180833.tif 000010
【図９】
2006180833.tif 000011
【図１０】
2006180833.tif 000012
【図１１】
2006180833.tif 000013
【図１２】
2006180833.tif 000014
【図１３】
2006180833.tif 000015
【図１４】
2006180833.tif 000016
【図１５】
2006180833.tif 000017